(57)【要約】      （修正有）【課題】高所で作業することなく、掲示物を簡単に天井から吊り下げ、取外すことができ、交換が容易な天井用掲示物吊り下げ具を提供する。【解決手段】天井面に固定される基盤２と、基盤２の下面に接離自在に配置されると共に、接近方向へ付勢された一対の把持爪３と、掲示物の上端部を着脱自在に係止する掲示物支持体４とを備え、掲示物支持体４の上端部両側に張り出し部１９を形成し、把持爪３の下端部の対向面に係止突起１５を設け、係止突起１５と張り出し部１９とを弾性係合することにより把持爪３が掲示物支持体４を吊持し、掲示物支持体４を側方へ傾けることにより張り出し部１９が把持爪３を押し広げる。【選択図】図１
0003143836.tif 000002
【実用新案登録請求の範囲】
【請求項１】
天井面に固定される基盤と、該基盤の下面に接離自在に配置されると共に、接近方向へ付勢された一対の把持爪と、掲示物の上端部を着脱自在に係止する掲示物支持体とを備え、該掲示物支持体の上端両側に張り出し部を形成し、前記把持爪の下端部の対向面に係止突起を設け、前記係止突起と前記張り出し部とが弾性係合され、前記掲示物支持体の側方への傾けにより、前記張り出し部が前記把持爪を押し広げるべく構成されたことを特徴とした天井用掲示物吊り下げ具。
【請求項２】
前記張り出し部は先端側が下方を向くよう傾斜し、前記係止突起は上下面が先細状に傾斜している請求項１に記載の天井用掲示物吊り下げ具。
【請求項３】
前記基盤の下面に回転盤を設け、該回転盤の下面に前記把持爪を設置した請求項１又は２に記載の天井用掲示物吊り下げ具。
【請求項４】
前記掲示物支持体の下部に掲示物の上端部を係止可能な掲示物取付部を設け、該掲示物取付部と張り出し部との間において、前記掲示物支持体に薄肉の揺動部を形成してある請求項１〜３のいずれかに記載の天井用掲示物吊り下げ具。
【考案の詳細な説明】
【技術分野】
【０００１】
本考案は、店舗、公共機関等において、ポスター、商品案内、タペストリー等の掲示物を天井から吊り下げるのに使用する天井用掲示物吊り下げ具に関する。
【背景技術】
【０００２】
店舗、公共機関等においては、ポスター、商品案内等の多数の掲示物を天井から吊り下げることが多い。これらの掲示物は、通常、天井面にホッチキス、画鋲等の固定具を用いて直接止めてあり、季節やイベント期間に合わせて交換するのが一般的である。
しかし、天井から吊り下げた掲示物の交換には、脚立を用いて高所に上り、多数の固定具を一つ一つ手で外して行なわなければならず、特に天井の高い大型店舗では、多数の掲示物の交換に多大な労力を要した。しかも、このような方法で掲示物を吊り下げると、天井面に画鋲等の固定具やその痕が残り、体裁が悪かった。
【０００３】
そこで、天井面に予め取り付けておき、掲示物を直接天井面に固定する必要のない吊り下げ具が種々提案されている。
例えば、特許文献１には、本体の下面にフックを設け、本体を位置決めピン及び差込ピンにより天井面に固定し、フックに掲示物の隅を紐で吊り下げるようにした天井用吊り下げ具が記載されている。
しかし、この吊り下げ具は、フックに紐を引っ掛けたり、フックから紐を外すために、高所での作業が必要であり、掲示物の交換に手間がかかる。
【０００４】
また、特許文献２に記載の吊付けクリップは、クリップに半球形突起を形成し、その突起に弾性係合するキャップを設け、突起又はキャップに紐を通す溝を形成して成る。
そして、所定数のクリップの溝に紐を通し、この紐の両端を緊張させて適宜箇所に張り、クリップで掲示物を挟んで吊り下げることができる。
しかし、このクリップで天井から掲示物を吊り下げると、掲示物を交換するためには、高所でクリップを開閉させるか、クリップをキャップに着脱しければならず、多数の掲示物の交換に手間がかかるのを改善するものではなかった。
【０００５】
【特許文献１】実用新案登録第３０７０８７９号公報
【特許文献２】特開平６−４８０８４号公報
【考案の開示】
【考案が解決しようとする課題】
【０００６】
本考案が解決しようとする課題は、高所で作業することなく、掲示物を簡単に天井から吊り下げ、取外すことができ、交換が容易な天井用掲示物吊り下げ具を提供することにある。
【課題を解決するための手段】
【０００７】
本考案の天井用掲示物吊り下げ具は、天井面に固定される基盤と、該基盤の下面に接離自在に配置されると共に、接近方向へ付勢された一対の把持爪と、掲示物の上端部を着脱自在に係止する掲示物支持体とを備え、該掲示物支持体の上端両側に張り出し部を形成し、前記把持爪の下端部の対向面に係止突起を設け、前記係止突起と前記張り出し部とが弾性係合され、前記掲示物支持体の側方への傾けにより、前記張り出し部が前記把持爪を押し広げるべく構成されている。
【０００８】
前記張り出し部は先端側が下方を向くよう傾斜し、前記係止突起は、上下面が先細状に傾斜していると良い。
前記基盤の下面に回転盤を設け、該回転盤の下面に前記把持爪を配置しても良い。
前記掲示物支持体の下部に掲示物の上端部を係止可能な掲示物取付部を設け、該掲示物取付部と張り出し部との間において、前記掲示物支持体に薄肉の揺動部を形成することもある。
【考案の効果】
【０００９】
請求項１に係る考案によれば、基盤を天井面に固定しておき、掲示物を掲示物支持体に取り付け、掲示物支持体を下方から押し上げてその張り出し部を係止突起と弾性係合させるだけで、簡単に天井面から吊り下げることができ、また、下から掲示物の下端部を掴んで傾斜させるだけで、係止突起を押し広げて掲示物支持体を外すことができるので、高所に上ることなく、短時間で容易に掲示物を交換することが可能である。
請求項２に係る考案によれば、張り出し部の傾斜面と係止突起の上下面が案内面となるので、張り出し部を係止突起に係脱しやすい。
請求項３に係る考案によれば、掲示物を店外、通路等のさまざまな方向に向けることができる。
請求項４に係る考案によれば、掲示物の角度を変えることが可能となる。
【考案を実施するための最良の形態】
【００１０】
以下、本考案の実施例を図面に基づいて詳細に説明する。
図１〜図５は、石膏ボード等の天井板に装着するのに好適な実施例１を示す。
図１〜３に示すように、本実施例の天井用掲示物吊り下げ具１は、天井面に固定される基盤２と、基盤２の下面に配置された一対の把持爪３と、掲示物を着脱自在に吊持する掲示物支持体４とを備える。
【００１１】
基盤２は、平たい略円筒形の本体部５と、本体部５の下面に設けられた回転盤６とから成る。
本体部５の両側部からは取付片７が張り出し、取付片７に取付ピン８が挿通される。取付片７の下面は凸に湾曲しており、取付片７に挿通した取付ピン８が、その先端を円の中心に向けて、垂直方向に対して約４５度の角度で傾斜するようになっている。
【００１２】
回転盤６は、上面が開口した平たい円筒体より成り、その円心を中心として回転可能に本体部５に取り付けられている。なお、回転盤６は、所定の方向を向けて停止できるように、任意の角度（例えば、１５°程度）ごとにクリック回転するのが望ましい。
図４に示すように、回転盤６の上面の両側部にはそれぞれコイル収納溝９が径方向に沿って形成され、回転盤６の下面両側部において、コイル収納溝９の内側部分に臨む位置には、径方向に沿ってガイド孔１１が形成される。各コイル収納溝９には、コイルバネ１２が収納され、コイルバネ１２の外側端部がコイル収納溝９の外側端部の内面に当接して位置決めされている。
【００１３】
図３に示すように、把持爪３は、その平面形状が回転盤６の半分程度の半円形とされ、回転盤６の下面の両側に設置される。
図４に示すように、把持爪３の上面にはガイド孔１１を通してコイル収納溝９内に挿入されるスライダー１３が設けられ、このスライダー１３がガイド孔１１に沿って摺動することにより、把持爪３が基盤２の径方向に摺動するようになっている。
スライダー１３の上端部はガイド孔１１から脱出しないよう幅広く形成され、ガイド孔１１の上方において、スライダー１３の上端部がコイルバネ１２の内側端部に係合している。この結果、一対の把持爪３はコイルバネ１２によって互いに接近する方向に付勢されている。
【００１４】
図１に示すように、把持爪３の下面の内側縁は下方に屈曲し、屈曲部分の下端部の互いに対向する面にはそれぞれ係止突起１５を形成する。係止突起１５の上下面は先細状となるよう傾斜している。
そして、常態においては、把持爪３の係止突起１５の先端は近接し、係止突起１５の上方において一対の把持爪３の間には、掲示物支持体４の上部を収容できる空間が形成される。
【００１５】
掲示物支持体４は、樹脂を押し出し成形して形成され、図５に示すように、起立板１６の下端に、揺動部１７を介して掲示物取付部１８を一体に連設して成る。
起立板１６の上端両側には張り出し部１９を設け、張り出し部１９の下方において、起立板１６の両側には、操作棒係止片２０を張り出してある。
張り出し部１９は、先端側が下を向くよう傾斜した傾斜片の先端を下向きに屈曲してなる。操作棒係止片２０の構造は張り出し部１９とほぼ同様である。
【００１６】
掲示物取付部１８は、下端がきわめて狭い隙間（約０．２ｍｍ）を開けて対向する一対のリップ部２１を有する。
リップ部２１はやや弾性を有するので、手でリップ部２１の先端間を押し開けて、掲示物の上端部を側方からスライドさせて挿入することができ、手を放すと掲示物の上端部をリップ部２１の先端が挟持する。また、掲示物を側方へスライドさせると、リップ部２１の先端間から外すことができる。
揺動部１７は、掲示物支持体４の他の部分よりも薄肉に形成され、起立板１６に対して掲示物取付部１８が１５°程度の小さい角度で揺動するのを許容するが、それ以上大きい角度に傾斜することはできないようになっている。
【００１７】
この天井用掲示物吊り下げ具１は次のように使用する。
予め、石膏ボード等の天井面に取付ピン８を打ち込んで基盤２を固定しておく。把持爪３間の空間が掲示物の表示面を向けたい方向と交差するように、回転盤６を回転させておく。
掲示物を吊り下げる際には、掲示物支持体４のリップ部２１で掲示物の上端部を挟む。なお、リップ部２１で挟持した帯片から掲示物を紐で吊り下げても良い。
【００１８】
次いで、掲示物支持体４の操作棒係止片２０の下面に操作棒の先端を係止し、操作棒を押し上げて、掲示物支持体４の上端部を把持爪３の係止突起１５間に押込む。すると、掲示物支持体４の上端に設けた張り出し部１９が把持爪３を押し開き、張り出し部１９が係止突起１５を通過すると把持爪３が元に位置に復帰して、係止突起１５と張り出し部１９とが弾性係合する。
この結果、把持爪３が、張り出し部１９と操作棒係止片２０との間において起立板１６の両側を挟み、掲示物支持体４を吊持する。そして、掲示物支持体４に取り付けた掲示物が天井面から吊り下がる。
【００１９】
掲示物を外すときは、掲示物の下端部を持って下方へ引っ張りながら側方へ傾斜させる。揺動部１７の構造により、掲示物取付部１８は起立板１６に対して１５°程度しか傾斜することができないので、掲示物取付部１８をそれ以上大きく傾けると起立板１６も傾斜し、張り出し部１９が回転して係止突起１５を押し開く。
掲示物には下方への引っ張り力が働いているので、係止突起１５が開くと掲示物と共に掲示物支持体４が落下する。
なお、このようにすると、掲示物を垂直方向下方へ引っ張って係止突起１５を押し開く場合のように、強く引く必要はないので、掲示物のみが落下して掲示物支持体４が残る心配はない。
掲示物を交換するには、掲示物取付部１８から掲示物を抜き取り、新たな掲示物を取り付けて、上記と同様にして掲示物支持体４を把持爪３で吊持する。
【００２０】
図６は、鉄骨剥き出し、或いは、金属格子や金属ネットを張った天井面に装着するのに好適な実施例２を示す。
基盤２には取付片７を設けず、基盤２の上面に磁石２２を装着してある。この磁石２２を金属より成る天井面に吸着して、基盤２を固定する。
その他の構成及び使用方法は、実施例１とほぼ同様なので、同一部分に共通の符号を付して、詳細な説明を省略する。
なお、掲示物取付部の構造、把持爪３の付勢機構等は上記実施例に限定されない。また、回転盤６を設けず、把持爪３を直接本体部５の下面に接離自在に取り付けても良い。
【図面の簡単な説明】
【００２１】
【図１】本考案の実施例１を示す天井用掲示物吊り下げ具の正面図。
【図２】本考案の実施例１を示す天井用掲示物吊り下げ具の側面図。
【図３】本考案の実施例１を示す天井用掲示物吊り下げ具の下面図。
【図４】本考案の実施例１に係る把持爪の付勢構造を示す図。
【図５】本考案の実施例１に係る掲示物支持体の正面図。
【図６】本考案の実施例２を示す天井用掲示物吊り下げ具の上面図。
【符号の説明】
【００２２】
１  天井用掲示物吊り下げ具
２  基盤
３  把持爪
４  掲示物支持体
５  本体部
６  回転盤
７  取付片
８  取付ピン
９  コイル収納溝
１１  ガイド孔
１２  コイルバネ
１３  スライダー
１５  係止突起
１６  起立板
１７  揺動部
１８  掲示物取付部
１９  張り出し部
２０  操作棒係止片
２１  リップ部
２２  磁石
【図１】
0003143836.tif 000003
【図２】
0003143836.tif 000004
【図３】
0003143836.tif 000005
【図４】
0003143836.tif 000006
【図５】
0003143836.tif 000007
【図６】
0003143836.tif 000008